(57)【要約】 【課題】導光板を通過した光が金属フレーム及び樹脂フレームの嵌合部分から漏れ出てしまうことを抑制し、光効率の低下を防止する。【解決手段】光源装置は、導光板と反射シートとを有する光源ユニットと、反射シートの裏面が露出するように光源ユニットを支持する第一フレームと、反射シートの裏面を覆うように光源ユニット及び第一フレームを支持する第二フレームとを備える。第一フレームは、光源ユニットを取り囲む枠状の側壁部と、光源ユニットを支持する支持部とを有する。第二フレームは、第一フレーム及び反射シートの裏面側を覆う底面部と、底面部から側壁部の外側面に沿って立設された外壁部とを有する。外壁部における底板部から離間した位置には、外壁部に対して側壁部が配置された側に突出する係合用突起が形成されている。側壁部における係合用突起に対向する位置には、係合用突起と係合する被係合部が形成されている。【選択図】図８
2011018587.tif 000002
【特許請求の範囲】
【請求項１】
光源と、入射した前記光源からの光を出射面から出射する導光板と、前記導光板に対して前記出射面とは反対側である裏面側に積層され、前記導光板の裏面から出射した光を反射して前記導光板に戻す反射シートとを有する光源ユニットと、
前記反射シートの裏面を露出した状態で前記光源ユニットを支持する第一フレームと、
前記第一フレーム及び前記反射シートの各裏面側を覆った状態で前記光源ユニット及び前記第一フレームを支持する第二フレームとを備え、
前記第一フレームは、前記光源ユニットを取り囲む枠状の側壁部と、前記側壁部から内側に向けて演出されて前記光源ユニットを支持する支持部とを有し、
前記第二フレームは、前記第一フレーム及び前記反射シートの各裏面側を覆う底面部と、前記底面部から前記側壁部の外側面に沿って立設された外壁部とを有し、
前記外壁部に、前記外壁部に対して前記側壁部が配置された側に突出する係合用突起が形成されていて、
前記側壁部における前記係合用突起に対向する位置には、前記第一フレームが前記第二フレームに固定された状態で、前記係合用突起と係合する被係合部が形成されていて、
前記係合用突起と、前記被係合用突起とが係合することによって前記第一フレームが前記第二フレームに固定されていることを特徴とする面光源。
【請求項２】
請求項１記載の面光源において、
前記係合用突起は、前記外壁部における前記底面部から離間した位置に形成された切り込みよりも前記外壁部の先端部側に配置されていることを特徴とする面光源。
【請求項３】
請求項２記載の面光源において、
前記係合用突起は、前記外壁部のうち前記切り込みよりも先端部側の部分を前記外壁部に対して前記側壁部が配置された側に向けて屈曲させ突出させることで形成されていることを特徴とする面光源。
【請求項４】
請求項１〜３のいずれか一項に記載の面光源において、
前記反射シートはその外周縁部に前記支持部に重なる重畳領域を有し、
前記重畳領域の一部には、前記反射シートの表面と前記支持部の裏面とにそれぞれ接触した状態で、前記反射シートと前記支持部との間に介在して、前記反射シートと前記支持部とを固定する固定部材が設けられ、前記重畳領域の残りの部分は前記支持部と離間して配置され、
前記係合用突起及び前記被係合部は、前記外壁部及び前記側壁部において、前記重畳領域の残りの部分に対応する箇所にそれぞれ形成されていることを特徴とする面光源。
【請求項５】
請求項４記載の面光源において、
前記側壁部には、前記側壁部に対して前記外壁部が配置された側に突出する第二係合用突起が形成され、
前記外壁部における前記第二係合用突起に対応する位置には、前記第一フレームが前記第二フレームに固定された状態で前記第二係合用突起に係合する係合孔部が形成され、
前記第二係合用突起及び前記係合孔部は、前記重畳領域の一部に対応する箇所に形成されていることを特徴とする面光源。
【請求項６】
請求項４又は５に記載の面光源において、
前記導光板、前記反射シート、前記第一フレーム及び前記第二フレームはそれぞれ矩形状をなし、
前記反射シートのうち少なくとも一つの辺部と前記支持部との間に前記固定部材が介在していることを特徴とする面光源。
【請求項７】
請求項６記載の面光源において、
前記反射シートのうち対向する一対の辺部と前記支持部との間に前記固定部材が介在していることを特徴とする面光源。
【請求項８】
請求項１〜７のいずれか一項に記載の面光源において、
前記被係合部は、前記側壁部のうち一部において該側壁部の先端部に対応する基端部からの高さを隣接する部分よりも低く形成することで、前記側壁部の表面側端部を切り欠いた形状に形成されていることを特徴とする面光源。
【請求項９】
請求項１〜８のいずれか一項に記載の面光源において、
前記支持部は、前記光源に対向する部分を除く部分に形成されていることを特徴とする面光源。
【請求項１０】
請求項１〜９のいずれか一項に記載の面光源において、
前記固定部材は、前記導光板の外周縁部及び前記支持部の内周縁部とそれぞれ重ねた状態で、前記導光板の外周縁部から前記支持部の内周縁部にかけて連続的に配置され、前記反射シートと前記導光板との間に介在して前記反射シートと前記導光板とを固定することを特徴とする面光源。
【請求項１１】
請求項１〜１０のいずれか一項に記載の面光源と、
前記面光源から照射された光を裏面で受ける液晶表示パネルと、を有する液晶表示装置。
【発明の詳細な説明】
【技術分野】
【０００１】
本発明は、面光源及び液晶表示装置に関する。
【背景技術】
【０００２】
従来、液晶表示パネルと面光源とを備え、これらを金属フレームと樹脂フレームとの組み合わせにより保持する液晶表示装置が知られている。金属フレームと樹脂フレームとを組み付けるために、金属フレームと樹脂フレームとには、嵌合孔と係止爪とを用いた嵌合構造が適用されている。例えば、金属フレームが外側、樹脂フレームが内側に配置される場合には、金属フレームの外枠部に嵌合孔を設け、樹脂フレームの外枠部の外周面に係合爪を形成している（例えば特許文献１参照）。そして、金属フレームと樹脂フレームそれぞれの外枠部を重ね、嵌合孔に係合爪を係合させることで、金属フレームと樹脂フレームとを固定している。
【先行技術文献】
【特許文献】
【０００３】
【特許文献１】特開２００７−２８０７７０公報
【発明の概要】
【発明が解決しようとする課題】
【０００４】
ところで、上記した面光源においては、光源からの光を液晶表示パネルの裏面に照射する導光板と、この導光板の裏面側に配される反射シートとを備えている。また、従来の嵌合機構では、金属フレームの嵌合孔は金属フレームの底板部から外枠部にかけて形成されている。この従来の嵌合機構の場合、導光板を通過した光のうち、金属フレームの外枠部に向けて進む光は、金属フレームの嵌合孔から漏れ出てしまい、光効率が低下するおそれがあった。
このため、本発明の課題は、導光板を通過した光が金属フレーム及び樹脂フレームの嵌合部分から漏れ出てしまうことや光効率の低下を抑制することである。
【課題を解決するための手段】
【０００５】
以上の課題を解決するため、本発明の一の態様によれば、
光源と、入射した前記光源からの光を出射面から出射する導光板と、前記導光板に対して前記出射面とは反対側である裏面側に積層され、前記導光板の裏面から出射した光を反射して前記導光板に戻す反射シートとを有する光源ユニットと、
前記反射シートの裏面を露出した状態で前記光源ユニットを支持する第一フレームと、
前記第一フレーム及び前記反射シートの各裏面側を覆った状態で前記光源ユニット及び前記第一フレームを支持する第二フレームとを備え、
前記第一フレームは、前記光源ユニットを取り囲む枠状の側壁部と、前記側壁部から内側に向けて演出されて前記光源ユニットを支持する支持部とを有し、
前記第二フレームは、前記第一フレーム及び前記反射シートの各裏面側を覆う底面部と、前記底面部から前記側壁部の外側面に沿って立設された外壁部とを有し、
前記外壁部に、前記外壁部に対して前記側壁部が配置された側に突出する係合用突起が形成されていて、
前記側壁部における前記係合用突起に対向する位置には、前記第一フレームが前記第二フレームに固定された状態で、前記係合用突起と係合する被係合部が形成されていて、
前記係合用突起と、前記被係合用突起とが係合することによって前記第一フレームが前記第二フレームに固定されていることを特徴とする面光源が提供される。
【０００６】
上記面光源において、好ましくは、前記係合用突起は、前記外壁部における前記底面部から離間した位置に形成された切り込みよりも前記外壁部の先端部側に配置されている。
上記面光源において、好ましくは、前記係合用突起は、前記外壁部のうち前記切り込みよりも先端部側の部分を前記外壁部に対して前記側壁部が配置された側に向けて屈曲させ突出させることで形成されている。
上記面光源において、好ましくは、前記反射シートはその外周縁部に前記支持部に重なる重畳領域を有し、
前記重畳領域の一部には、前記反射シートの表面と前記支持部の裏面とにそれぞれ接触した状態で、前記反射シートと前記支持部との間に介在して、前記反射シートと前記支持部とを固定する固定部材が設けられ、前記重畳領域の残りの部分は前記支持部と離間して配置され、
前記係合用突起及び前記被係合部は、前記外壁部及び前記側壁部において、前記重畳領域の残りの部分に対応する箇所にそれぞれ形成されている。
上記面光源において、好ましくは、前記側壁部には、前記側壁部に対して前記外壁部が配置された側に突出する第二係合用突起が形成され、
前記外壁部における前記第二係合用突起に対応する位置には、前記第一フレームが前記第二フレームに固定された状態で前記第二係合用突起に係合する係合孔部が形成され、
前記第二係合用突起及び前記係合孔部は、前記重畳領域の一部に対応する箇所に形成されている。
上記面光源において、好ましくは、前記導光板、前記反射シート、前記第一フレーム及び前記第二フレームはそれぞれ矩形状をなし、
前記反射シートのうち少なくとも一つの辺部と前記支持部との間に前記固定部材が介在している。
上記面光源において、好ましくは、前記反射シートのうち対向する一対の辺部と前記支持部との間に前記固定部材が介在している。
上記面光源において、好ましくは、前記被係合部は、前記側壁部のうち一部において該側壁部の先端部に対応する基端部からの高さを隣接する部分よりも低く形成することで、前記側壁部の表面側端部を切り欠いた形状に形成されている。
上記面光源において、好ましくは、前記支持部は、前記光源に対向する部分を除く部分に形成されている。
上記面光源において、好ましくは、前記固定部材は、前記導光板の外周縁部及び前記支持部の内周縁部とそれぞれ重ねた状態で、前記導光板の外周縁部から前記支持部の内周縁部にかけて連続的に配置され、前記反射シートと前記導光板との間に介在して前記反射シートと前記導光板とを固定する。
【０００７】
本発明の他の態様によれば、
上記面光源と、
前記面光源から照射された光を裏面で受ける液晶表示パネルと、を有する液晶表示装置が提供される。
【発明の効果】
【０００８】
本発明によれば、導光板を通過した光が第一フレーム及び第二フレームの嵌合部分から漏れ出てしまうことや光効率の低下を抑制することができる。
【図面の簡単な説明】
【０００９】
【図１】本実施形態の液晶表示装置の要部構成を示す正面図である。
【図２】図１のII−II切断線に沿った断面構成を模式的に示した断面図である。
【図３】図１のIII−III切断線に沿った断面構成を模式的に示した断面図である。
【図４】図１の液晶表示装置に備わる光源ユニットのケース部を示す概略構成を示す斜視図である。
【図５】図４に示すケース部を異なる方向から見た斜視図である。
【図６】図４の円Ｃ１内にあるケース部の一つの角部を拡大した斜視図である。
【図７】図５の円Ｃ２内にあるケース部の一つの角部を拡大した斜視図である。
【図８】図６のVIII−VIII切断線に沿った断面構成を示す断面図である。
【図９】図６及び図７のIX−IX切断線に沿った断面構成を示す断面図である。
【図１０】図１の液晶表示装置の変形例を示す正面図である。
【発明を実施するための形態】
【００１０】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【００１１】
本実施形態に係る液晶表示装置１は、図１〜図３に示すように液晶表示パネル１０と、液晶表示パネル１０の裏面側から光を照射する面光源２０とを有する。図１は、本実施形態の液晶表示装置の要部構成を示す正面図である。図２は、図１のII−II切断線に沿った断面構成を模式的に示した断面図である。図３は、図１のIII−III切断線に沿った断面構成を模式的に示した断面図である。なお、図１〜図３では、液晶表示パネル１０は二点鎖線で示している。
【００１２】
液晶表示パネル１０は、予め定めた間隙を設けて対向配置された観察側とその反対側（裏面側）の一対の透明基板１１，１２を備えている。これら透明基板１１，１２間の間隙には液晶層（図示省略）が封入されている。一対の透明基板１１，１２の互いに向き合う内面には、第一と第二の透明電極（図示省略）が設けられている。第一と第二の透明電極は、電圧の印加により液晶層の液晶分子の配向状態を変化させて光の透過を制御する複数の画素を形成している。また、観察側の透明基板１１の外面には光学シート１３が貼り付けられている。他方、裏面側の透明基板１２の外面には偏光板１４が貼り付けられている。また、裏面側の透明基板１２には、観察側の透明基板１１から張り出すドライバ搭載部１５が形成されている。ドライバ搭載部１５には、上記の透明電極間に駆動電圧を印加するためのドライバ素子１６が搭載されている。ドライバ搭載部１５には、ドライバ素子１６に外部回路からの制御信号を供給するための配線フィルム１７が接続されている。
この液晶表示パネル１０は、裏面側の透明基板１２に対して面光源２０から光を入射させることにより、他方の透明基板１１の観察面に向けて表示を行うものである。
【００１３】
面光源２０は、光源ユニット３０と、光源ユニット３０及び液晶表示パネル１０を収容するケース部４０とを有する。
【００１４】
光源ユニット３０は、配線基板３１と、光源３２と、導光板３３と、複数の光学シート３４，３５，３６と、反射シート３７とを備えている。
【００１５】
配線基板３１には、光源３２と、導光板３３とが設置されている。この配線基板３１には、図示しない外部の点灯回路と光源３２とを接続するための配線フィルム３１１が設けられている。
【００１６】
光源３２は、例えばＬＥＤ等の複数の光学素子から形成されている。光源３２は、導光板３３の一辺に沿うように配線基板３１の裏面に配列されている。
【００１７】
導光板３３は、板状の透明部材により正面視矩形状に形成されている。導光板３３の２つの板面のうち、一方の板面が出射面３３１となり、他方の板面が反射面３３２となる。導光板３３は、出射面３３１が観察側を向くように配置されている。また導光板３３の一辺部は両面テープ３３３を介して配線基板３１の裏面に接着固定されている。これにより、導光板３３の一辺部の側面が入射端面３３４となって、光源３２の光照射方向の前方に配置されることになる。そして、光源３２から照射された光は、入射端面３３４を介して導光板３３内に入射し、反射面３３２により内面反射することにより出射面３３１から出射して、液晶表示パネル１０の裏面側の透明基板１２を照射する。
【００１８】
複数の光学シート３４，３５，３６は、正面視矩形状に形成されていて、導光板３３の出射面３３１上に積層されている。ここで出射面３３１直上の光学シート３４は、出射面３３１からの出射光を拡散させる拡散シートである。この光学シート３４は、光散乱粒子が分散された透明な粘着剤層又は光散乱粒子が分散された透明な樹脂フィルムである。
【００１９】
また、光学シート３４の観察側に配置された２枚の光学シート３５，３６は、プリズムシートである。プリズムシートの一方の面は平坦面に形成されていて、他方の面には多数の微細な線状プリズムが形成されている。２枚の光学シート３５，３６においては、それぞれの平坦面が導光板３３側を向くように配置されている。なお、２枚の光学シートの線状プリズムは、互いに直交する異なる方向に沿って配列されている。
【００２０】
反射シート３７は、導光板３３の外形よりも大きくなるように、例えばアルミシート等のシート状の金属部材により正面視矩形状に形成されている。反射シート３７は、導光板３３の裏面側に配置されていて、導光板３３の反射面３３２からの漏れ光を反射して導光板３３内に戻す。反射シート３７における一対の長辺に沿った一対の長辺部３７ａには両面テープ３７１が貼付されている。両面テープ３７１は反射シート３７の長辺部３７ａから導光板３３の一対の長辺に沿った一対の長辺部３３ａのうち対応する長辺部３３ａに達する領域に貼付されている。これにより、両面テープ３７１が反射シート３７の長辺部３７ａと導光板３３の長辺部３３ａとの間に介在してこれらを接着固定する。
【００２１】
次いで、ケース部４０について図４〜図９に基づいて説明する。図４は、図１の液晶表示装置に備わる光源ユニットのケース部を示す概略構成を示す斜視図である。図５は、図４に示すケース部を異なる方向から見た斜視図である。図６は、図４の円Ｃ１内にあるケース部の一つの角部を拡大した斜視図である。図７は、図５の円Ｃ２内にあるケース部の一つの角部を拡大した斜視図である。図８は、図６のVIII−VIII切断線に沿った断面構成を示す断面図である。図９は、図６及び図７のIX−IX切断線に沿った断面構成を示す断面図である。
ケース部４０は、図４〜図９に示すように、第一フレーム５０と第二フレーム６０とを有する。第一フレーム５０と第二フレーム６０とは、それぞれ正面視矩形状に形成されている。この第一フレーム５０及び第二フレーム６０の一対の短辺に沿った一対の短辺部５０ｂ，６０ｂには、両者を係止するための第一嵌合構造７０が設けられている。一方、第一フレーム５０及び第二フレーム６０の一対の長辺部５０ａ，６０ａには、両者を係止するための第二嵌合構造８０が設けられている。
なお、以下の説明においては、まず、第一フレーム５０及び第二フレーム６０の概略構成を説明した後に、第一嵌合構造７０と第二嵌合構造８０との詳細について説明する。
【００２２】
第一フレーム５０は、正面視略矩形枠状に形成された樹脂部材であり、その観察側に液晶表示パネル１０が配置され、その裏面側に反射シート３７の裏面を露出した状態で光源ユニット３０が配置されて、液晶表示パネル１０及び光源ユニット３０をそれぞれ支持する。第一フレーム５０は、液晶表示パネル１０及び光源ユニット３０を取り囲む正面視略矩形枠状の側壁部５１と、当該側壁部５１から内側に向けて延出し、液晶表示パネル及び光源ユニット３０を支持する支持部５２とを有している。
【００２３】
側壁部５１は、液晶表示パネル１０と光源ユニット３０との全周を囲っている。この側壁部５１のうち、配線フィルム１７，３１１に対応する一辺部には、これら配線フィルム１７，３１１を外部に引き出すためのフィルム用切欠５３が形成されている。
【００２４】
支持部５２は、図２、図３に示すように側壁部５１のうち、配線フィルム１７，３１１に対応する一辺部以外の辺部に設けられている。側壁部５１のうち、配線フィルム１７，３１１に対応する一辺部、つまり光源３２に対向する部分には支持部５２が設けられていないので、正面視したときの第一フレーム５０の外形の大きさを変えることなく、光源３２の設置スペースを確保することができる。
そして、支持部５２は、導光板３３に近接する位置にまで内側に向けて延出しており、支持部５２の内周縁部が反射シート３７の外周縁部に重なっている。この重なった領域を重畳領域９０と称す。反射シート３７の重畳領域９０においては、反射シート３７の表面（上面）と、支持部５２の裏面（下面）とにそれぞれ接触した状態で、反射シート３７と支持部５２との間に両面テープ３７１が介在されている。この両面テープ３７１によって、反射シート３７と支持部５２とが接着固定されている（図３参照）。この両面テープ３７１が重畳領域９０の一部に設けられた固定部材である。なお、固定部材としては、両面テープ以外にもシール剤等を用いることが可能である。また、固定部材は遮光性を有していることが好ましい。
【００２５】
一方、反射シート３７の短辺部３７ｂにおける重畳領域９０（重畳領域の残りの部分）では、両面テープ３７１が貼付されておらず、反射シート３７と支持部５２とが離間している（図２，図８参照）。重畳領域９０の全てにおいて両面テープ３７１によって反射シート３７と支持部５２とを接着固定した場合には、反射シート３７がよれてしまうおそれがあるが、反射シート３７の重畳領域９０のうち一部において両面テープ３７１によって反射シート３７と支持部５２とが接着固定され、反射シート３７の重畳領域９０のうち残りの部分において両面テープ１３７と支持部５２とが離間しているので、反射シート３７がよれてしまうことを抑制することができる。
【００２６】
また、支持部５２の観察側の表面には、光学シート３６の観察側の外周縁部を覆う遮光シート４２１が積層されている。
【００２７】
第二フレーム６０は正面視略矩形状に形成された金属部材からなり、第一フレーム５０及び反射シート３７の各裏面側を覆う底面部６１と、略矩形状の底面部６１の各辺から第一フレーム５０の側壁部５１の外側面に沿って立設された正面視略矩形枠状の外壁部６２とを有し、光源ユニット３０及び第一フレーム５０を支持する。
外壁部６２のうち、配線フィルム１７に対応する一辺部には、配線フィルム１７，３１１を外部に引き出すための第二フィルム用切欠６３が形成されている。
【００２８】
第一嵌合構造７０は、図８に示すように、第二フレーム６０に設けられた係合用突起７１と、第一フレーム５０に設けられた被係合部７２とを備えている。なお、図８においては、面光源２０の短辺部２０ｂのうち、支持部５２が設けられた短辺部２０ｂの第一嵌合構造７０を示しているが、支持部５２が設けられていない短辺部２０ｂにおいても第一嵌合構造７０自体の構成は図８で図示されているものと同様である。
【００２９】
係合用突起７１は、正面視略矩形枠状をなす外壁部６２の一対の短辺部６２ｂの両端部にそれぞれ設けられている。また、係合用突起７１は外壁部６２の先端部６２１に、外壁部６２において底面部６１から離間して設けられている。係合用突起７１は、外壁部６２の先端部６２１及び基端部から離間した位置に外壁部６２の先端部６２１と平行に切り込み７１１を形成し、外壁部６２のうち切り込み７１１よりも先端部側の部分を第二フレーム６０の内側（外壁部６２に対して側壁部５１が配置された側）に向けて屈曲させて突出させることにより形成されている。
【００３０】
被係合部７２は、正面視略矩形枠状をなす側壁部５１のうち一対の短辺部５１ｂの両端部に、第一フレーム５０が第二フレーム６０に固定された状態において係合用突起７１にそれぞれ対向するように設けられている。被係合部７２は、側壁部５１における先端部５１１に配置されていて、この側壁部５１のうち一部においてその先端部５１１に対応する基端部からの高さを隣接する部分よりも低く形成することで、側壁部５１の先端部５１１を切り欠いた形状に形成されている。
【００３１】
そして、係合用突起７１を被係合部７２に係合させる際には、側壁部５１によって係合用突起７１が外側に押され、外壁部６２も外側に撓むことになる。そして、係合後、係合用突起７１が被係合部７２内に進入すると外壁部６２が弾性復帰して元の状態に戻り、係合用突起７１と被係合部７２との係合が維持される。
【００３２】
第二嵌合構造８０は、図９に示すように、第一フレーム５０に設けられた第二係合用突起８１と、第二フレーム６０に設けられた係合孔部８２とを備えている。
【００３３】
第二係合用突起８１は、側壁部５１のうち一対の長辺部５１ａの両端部にそれぞれ設けられている。第二係合用突起８１は、側壁部５１の外側面から外側（側壁部５１に対して外壁部６２が配置された側）に向けて突出するように、側壁部５１における基端部５１２に形成されている。第二係合用突起８１の裏面側端部には、観察面側に向かうにつれて徐々に外側へと広がるテーパー面８１１が形成されている。
【００３４】
係合孔部８２は、外壁部６２のうち一対の長辺部６２ａの両端部に、第二係合用突起８１にそれぞれ対向するように設けられている。係合孔部８２は、外壁部６２の基端部６２２のうち一部が底面部６１から外壁部６２にかけて連続的に切り欠かれることで形成されている。
【００３５】
そして、第二係合用突起８１を係合孔部８２に係合させる際には、このテーパー面８１１が外壁部６２を外側に撓ませる。そして、係合後、第二係合用突起８１が係合孔部８２内に進入すると外壁部６２が弾性復帰して元の状態に戻り、第二係合用突起８１と係合孔部８２との係合が維持される。
【００３６】
次に、本実施形態の作用について説明する。
光源３２を点灯し、導光板３３内に光が入射すると、導光板３３の反射面３３２から光が漏れ出す場合がある（図８，９に示す漏れ光Ｌ）。ここで、面光源２０の長辺部２０ａにおいては、両面テープ３７１が反射シート３７の表面と支持部５２の裏面とにそれぞれ接触した状態であるので、図９に示すように両面テープ３７１によって遮光される。これにより、第一フレーム５０の支持部５２と反射シート３７との隙間から外部に光が漏れ出ることが抑制されている。つまり、第二嵌合構造８０からは光が漏れ出ることが抑制されている。
一方、面光源２０の短辺部２０ｂにおいては図８に示すように、第一フレーム５０の支持部５２と反射シート３７とを離間させ、隙間を設けている。したがって反射面３３２からの漏れ光Ｌはこの隙間を通過してしまう。また、図面上、第一フレーム５０の側壁部５１と第二フレームの底面部６１とは密着しているものの僅かながら隙間が生じている場合があり、この場合、その隙間を漏れ光Ｌが通過してしまう。しかしながら、側壁部５１と底面部６１との外側であって、上述の隙間（側壁部５１の裏面と底面部６１の表面との間）に対応する部分に外壁部６２が配置されているので、漏れ光Ｌが外壁部６２によって遮光される。
また、第一嵌合構造７０においては、係合用突起７１が底面部６１から離間した位置に配置されているので、第一嵌合構造７０から光が漏れ出すことが抑制されている。
【００３７】
以上のように、本実施形態によれば、導光板３３を通過した光が第一フレーム５０及び第二フレーム６０の嵌合部分（第一嵌合構造７０、第二嵌合構造８０）から漏れ出てしまうことが抑制されている。これにより、光効率の低下を抑制することができる。
【００３８】
また、第一嵌合構造７０の被係合部７２は、側壁部５１のうち一部においてその先端部５１１に対応する基端部からの高さを隣接する部分よりも低く形成することで、側壁部５１の先端部５１１を切り欠いた形状に形成されているので、被係合部７２が開口の場合と比して金型等の製造が容易となり、結果として第一フレーム５０を容易に製造することが可能となる。
また、両面テープ３７１は、導光板３３の外周縁部および支持部５２の内周縁部とそれぞれ重ねた状態で、導光板３３の外周縁部から支持部５２の内周縁部にかけて連続的に配置されている。そして、支持部５２との重畳領域９０に対応する部分おいては、両面テープ３７１は、反射シート３７の上面と導光板３３の下面とにそれぞれ接触した状態で、反射シート３７と導光板３３との間に介在され、当該両面テープ３７１によって反射シート３７と導光板３３とが接着固定されているので、両面テープ３７１のみで反射シート３７、導光板３３及び支持部５２を固定することができる。
【００３９】
なお、本発明は上記実施形態に限らず適宜変更可能である。
例えば、本実施形態では、面光源２０の長辺部２０ａに第二嵌合構造８０が形成され、短辺部２０ｂに第一嵌合構造７０が形成されている場合を例示したが、例えば図１０の液晶表示装置１Ａに示すように全ての辺部に第一嵌合構造７０を適用することも可能である。
【符号の説明】
【００４０】
１      液晶表示装置
１０      液晶表示パネル
２０      面光源
３０      光源ユニット
３２      光源
３３      導光板
３４，３５，３６    光学シート
３７      反射シート
４０      ケース部
５０      第一フレーム
５１      側壁部
５２      支持部
６０      第二フレーム
６１      底面部
６２      外壁部
７０      第一嵌合構造
７１      係合用突起
７２      被係合部
８０      第二嵌合構造
８１      第二係合用突起
８２      係合孔部
９０      重畳領域
３３１      出射面
３７１      両面テープ（固定部材）
４２１      遮光シート
６２１      先端部
７１１      切り込み
Ｌ      漏れ光
【図１】
2011018587.tif 000003
【図２】
2011018587.tif 000004
【図３】
2011018587.tif 000005
【図４】
2011018587.tif 000006
【図５】
2011018587.tif 000007
【図６】
2011018587.tif 000008
【図７】
2011018587.tif 000009
【図８】
2011018587.tif 000010
【図９】
2011018587.tif 000011
【図１０】
2011018587.tif 000012